(57)【要約】【課題】　オートフェンス機構を備える画像形成装置において、複数の用紙サイズの画像形成処理を連続的に行うことを可能にする。【解決手段】　載置された用紙の用紙サイズを検出する用紙サイズ検出手段を有する複数の給紙部と、前記複数の給紙部から給紙された用紙に画像を形成する画像形成部と、前記画像形成部により画像が形成されて排出された前記用紙が積載される排紙部と、前記排紙部に設けられ、前記給紙部から給紙される前記用紙サイズに応じて積載される前記用紙の幅方向の位置を変位させるオートフェンスと、前記画像形成処理を一頁分の画像単位にジョブとして記憶するジョブ記憶部と、前記ジョブについて、前記画像を形成する前記用紙の幅方向の用紙サイズの小さいジョブから昇順に、前記画像形成処理を実行するように制御する制御部とを有することによる。【選択図】　　　図７
2004075390.tif 000002
【特許請求の範囲】
【請求項１】
　載置された用紙の用紙サイズを検出する用紙サイズ検出手段を有する複数の給紙部と、
　前記複数の給紙部から給紙された前記用紙に画像を形成する画像形成部と、
　前記画像形成部により前記画像が形成されて排出された前記用紙が積載される排紙部と、
　前記排紙部に設けられ、前記給紙部から給紙される前記用紙の用紙サイズに応じて、積載される前記用紙の幅方向の位置を変位させるオートフェンスと、
　前記画像形成処理を一頁分の画像単位にジョブとして記憶するジョブ記憶部と、
　前記ジョブ記憶部に記憶されているジョブについて、前記画像を形成する前記用紙の幅方向の用紙サイズの小さいジョブから昇順に、前記画像形成処理を実行するように制御する制御部と
　を有することを特徴とする画像形成装置。
【請求項２】
　前記オートフェンスは、前記用紙の前端が突き当たるエンドフェンスを有し、前記エンドフェンスが前記用紙サイズに応じて前記用紙の搬送方向の位置を自動的に変位させること
　を特徴とする請求項１に記載の画像形成装置。
【請求項３】
　前記画像形成装置は、さらに、
　複数の用紙サイズの原稿画像を読み取る原稿読み取り部と、
　少なくとも画像形成枚数に関する情報を含む画像形成処理情報を入力する入力部と
　を有することを特徴とする請求項１又は請求項２のいずれかに記載の画像形成装置。
【請求項４】
　前記画像形成装置は、さらに、
　情報処理装置と直接又はネットワークを介して接続し、前記情報処理装置から原稿画像、及び少なくとも画像形成枚数に関する情報を含む画像形成処理情報を受信する通信部
　を有することを特徴とする請求項１乃至請求項３のいずれかに記載の画像形成装置。
【請求項５】
　原稿画像、及び少なくとも画像形成枚数に関する情報を含む画像形成処理情報を入力する情報処理装置と、
　前記情報処理装置から前記原稿画像と前記画像形成処理情報とを受信する通信部と、載置された用紙の用紙サイズを検出する用紙サイズ検出手段を有する複数の給紙部と、前記複数の給紙部から給紙された用紙に前記原稿画像に基づいた画像を形成する画像形成部と、前記画像形成部により前記画像が形成され排出された前記用紙が積載される排紙部と、前記排紙部に設けられ、前記給紙部から給紙される前記用紙の用紙サイズに応じて、積載される前記用紙の幅方向の位置を変位させるオートフェンスと、前記画像形成処理を一頁分の画像単位にジョブとして記憶するジョブ記憶部と、前記ジョブ記憶部に記憶されているジョブについて、前記画像を形成する前記用紙の幅方向の用紙サイズの小さいジョブから昇順に前記画像形成処理を実行するように制御する制御部とを有する画像形成装置と
　からなることを特徴とする画像形成システム。
【発明の詳細な説明】
【技術分野】
【０００１】
　本発明は、排紙台に排紙される用紙の大きさに応じて少なくともフェンス幅を自動的に調整するオートフェンス機構を備える画像形成装置に関する。
【背景技術】
【０００２】
　従来、印刷装置や複写装置等の画像形成装置において、例えば特開昭６０−２２０７５２号公報、特開平１０−１２５４号公報、特開平１１−６００２８号公報等に記載されているような、排紙される用紙サイズに応じて排紙台のフェンス幅を自動的に調整する機構、いわゆるオートフェンスを備えるものが知られている。オートフェンスを備える画像形成装置は、複数種類の用紙サイズに自動的に対応して排紙処理を行うことが可能であるので、ユーザが用紙サイズに合わせて排紙台のフェンスを手で移動させる手間を省くことができる。
【０００３】
　このような、オートフェンスを備える画像形成装置において、第一の用紙サイズで排紙台の最大排紙積載容量に満たない枚数の画像形成処理を行った後に、第一の用紙サイズよりも大きな用紙を用いて画像形成処理を行う場合には、オートフェンスを最初の位置より外側に移動させることにより、用紙を積み重ねるようにして画像形成処理を連続的に行うことができる。
【発明の開示】
【発明が解決しようとする課題】
【０００４】
　しかしながら、第一の用紙サイズよりも小さな用紙を用いて画像形成処理を続けて行う場合には、排紙台上に積載された第一の用紙サイズの用紙によりオートフェンスが内側に移動することができないために、積載された用紙を一旦取り除かない限り、画像形成処理を続けて実行することができない。このような問題は、排紙台の最大排紙積載容量が大きく、また、一つの用紙サイズの画像形成枚数が少ない場合や、画像形成装置を遠隔地から操作する場合には特に顕著となる。
【０００５】
　本発明は、このような問題を解決するためになされたものであり、オートフェンス機構を備える画像形成装置において、複数の用紙サイズの画像形成処理を連続的に行うことを可能にする画像形成装置及び画像形成システムを提供することを目的とする。
【課題を解決するための手段】
【０００６】
　本発明に係る画像形成装置は、（ａ）載置された用紙の用紙サイズを検出する用紙サイズ検出手段を有する複数の給紙部と、（ｂ）前記複数の給紙部から給紙された前記用紙に画像を形成する画像形成部と、（ｃ）前記画像形成部により前記画像が形成されて排出された前記用紙が積載される排紙部と、（ｄ）前記排紙部に設けられ、前記給紙部から給紙される前記用紙サイズに応じて積載される前記用紙の幅方向の位置を変位させるオートフェンスと、（ｅ）前記画像形成処理を一頁分の画像単位にジョブとして記憶するジョブ記憶部と、（ｆ）前記ジョブ記憶部に記憶されているジョブについて、前記画像を形成する前記用紙の幅方向の用紙サイズの小さいジョブから昇順に、前記画像形成処理を実行するように制御する制御部とを有することを特徴とする。
【０００７】
　また、本発明に係る画像形成システムは、（ａ）原稿画像、及び少なくとも画像形成枚数に関する情報を含む画像形成処理情報を入力する情報処理装置と、（ｂ）前記情報処理装置から前記原稿画像と前記画像形成処理情報とを受信する通信部と、載置された用紙の用紙サイズを検出する用紙サイズ検出手段を有する複数の給紙部と、前記複数の給紙部から給紙された用紙に前記原稿画像に基づいた画像を形成する画像形成部と、前記画像形成部により前記画像が形成され排出された前記用紙が積載される排紙部と、前記排紙部に設けられ、前記用紙サイズ検出手段により検出された前記用紙サイズに応じて積載される前記用紙の幅方向の位置を変位させるオートフェンスと、前記画像形成処理を一頁分の画像単位にジョブとして記憶するジョブ記憶部と、前記ジョブ記憶部に記憶されているジョブについて、前記画像を形成する前記用紙の幅方向の用紙サイズの小さいジョブから昇順に前記画像形成処理を実行するように制御する制御部とを有する画像形成装置とからなることを特徴とする。
【０００８】
　このような構成により、ジョブ記憶部内に記憶されている複数のジョブについて、幅方向の用紙の大きさが小さいジョブから画像形成処理を実行するように制御することで、用紙サイズの大きいジョブに移行するにつれて、オートフェンスの位置は広がる方向に移動する。従って、排紙部に積載されている用紙を取り除かなくても、複数の用紙サイズの画像形成処理を連続的に行うことができる。
【０００９】
　なお、用紙の幅方向の位置を変位させる「オートフェンス」とは、例えば一対のサイドフェンスで構成され、排紙部に排紙される用紙の左右端を規制することで、用紙幅方向の位置を所定の位置に変位させる。
【００１０】
　さらに、前記オートフェンスは、前記用紙の前端が突き当たるエンドフェンスを有し、当該エンドフェンスが前記用紙サイズに応じて前記用紙の搬送方向の位置を変位させる構成としても良い。
【００１１】
　また、前記画像形成装置は、さらに、複数の用紙サイズの原稿画像を読み取る原稿読み取り部と、少なくとも画像形成枚数に関する情報を含む画像形成処理情報を入力する入力部とを有する構成とすることもできる。つまり、原稿読み取り部で読み取った原稿画像と入力部から入力した画像形成処理情報とをジョブとして記憶し、ジョブ記憶部内に記憶されている複数のジョブについて、用紙の大きさが小さいジョブから画像形成処理を実行するように制御する。このような構成によれば、スタンドアローンで動作する画像形成装置として実現することができる。
【００１２】
　さらに、また、前記画像形成装置は、情報処理装置と接続し、当該情報処理装置から原稿画像、及び少なくとも画像形成枚数に関する情報を含む画像形成処理情報を受信する通信部を有する構成とすることもできる。
【００１３】
　なお、「情報処理装置」としては、パーソナルコンピュータやワードプロセッサ等の文書作成装置や、デジタイザ（digitizer）やイメージスキャナ等の画像入力装置など、画像形成装置にて形成する画像の原稿画像を作成・入力するための装置が含まれる。
【００１４】
　さらに、前記通信部は、ネットワークを介して前記情報処理装置と接続する構成とすることもできる。このような構成によれば、遠隔地にある情報処理装置から画像形成装置に複数の用紙サイズの原稿画像を送り、複数の画像形成処理を連続的に行うことができる。
【発明の効果】
【００１５】
　本発明によれば、オートフェンス機構を備える画像形成装置において、排紙部に用紙を積載したままでも、複数の用紙サイズの画像形成処理を連続的に行うことができる。
【発明を実施するための最良の形態】
【００１６】
　以下、図１〜図９を適宜参照しながら、本発明の実施の形態について詳細に説明する。
【００１７】
　本実施形態に係る画像形成装置は、例えば図１に示すような孔版印刷装置として構成することができる。
【００１８】
　　［孔版印刷装置の構成］
　図１に示す孔版印刷装置は、主な構成要素として、原稿読み取り部１、製版部２、印刷部（画像形成部）３、給紙部４、排紙部１２０、及び排版部１３０を備える。
【００１９】
　　〔原稿読み取り部の構成〕
　原稿読み取り部１は、印刷すべき原稿が載置される原稿セット台１０、原稿セット台１０上の原稿の有無を検出する反射型の原稿センサ１１，１２、原稿セット台１０上の原稿を搬送する原稿搬送ロール１３，１４、原稿搬送ロール１３，１４を回転駆動するステッピングモータ１５、原稿搬送ロール１３，１４によって搬送される原稿の画像を光学的に読み取り、読み取った画像データを電気信号に変換する密着型のイメージセンサ１６、及び原稿セット台１０より排出される原稿を載置する原稿排出トレイ１７を有する。そして、原稿セット台１０に載置された原稿は、原稿搬送ロール１３，１４によって搬送され、搬送される原稿画像をイメージセンサ１６が読み取る。
【００２０】
　　〔製版部の構成〕
　製版部２は、ロールされた長尺状の孔版原紙１８を収容する孔版原紙収納部１９、孔版原紙収納部１９の搬送下流に配置されたサーマルヘッド２０、サーマルヘッド２０の対向位置に配置されたプラテンロール２１、サーマルヘッド２０及びプラテンロール２１の搬送下流に配置された一対の孔版原紙送りロール２２、プラテンロール２１及び孔版原紙送りロール２２を回転駆動するライトパルスモータ２３、及び一対の孔版原紙送りロール２２の搬送下流に配置された原紙カッタ２４を有する。そして、プラテンロール２１と孔版原紙送りロール２２の回転により長尺状の孔版原紙１８を搬送し、イメージセンサ１６で読み取った画像データに基づいてサーマルヘッド２０の各点状発熱体が選択的に発熱動作することにより孔版原紙１８を溶融穿孔して製版し、この製版された孔版原紙１８を原紙カッタ２４で切断して所定長さの孔版原紙１８を作製する。
【００２１】
　　〔印刷部の構成〕
　印刷部３は、多周部分が多孔構造によるインク通過性の部材で構成され、メインモータ２５の駆動力によって図１のＡ矢印方向に回転する版胴２６、版胴２６の外周面に設けられ、孔版原紙１８の先端をクランプする原紙クランプ部２７、版胴２６の検出片２８ａを検出することにより版胴２６の外周面に孔版原紙１８が巻き付け装着されているか否かを検出する原紙確認センサ２８、版胴２６の検出片２９を検出することにより版胴２６の基準位置を検出する基準位置検出センサ３０、メインモータ２５の回転を検出するロータリエンコーダ３１を有する。そして、基準位置検出センサ３０の検出出力に基づいてロータリエンコーダ３１の出力パルスを検出することにより版胴２６の回転位置を検出することができる。
【００２２】
　また、印刷部３は、版胴２６の内部に配置されたスキージロール３２と、このスキージロール３２に近接配置されたドクターロール３３を有し、スキージロール３２とドクターロール３３とで囲まれた外周スペースにインク３４が溜められている。回転するスキージロール３２の外周に付着するインク３４がドクターロール３３との隙間を通ることによりスキージロール３２には所定膜厚のインク３４のみが付着し、この所定膜厚のインク３４が版胴２６の内周面に供給される。また、スキージロール３２の対向位置で、且つ、版胴２６の外周位置にはプレスロール３５が設けられ、このプレスロール３５はソレノイド装置３６の駆動力により版胴２６の外周面に押圧する押圧位置と、版胴２６の外周面から離間する待機位置との間で変位可能に構成されている。プレスロール３５は、給紙部４からの給紙動作に同期して待機位置から押圧位置に変位し、印刷用紙３７が版胴２６の下部を通過する際のみ押圧位置に位置し、それ以外の時には待機位置に位置する。
【００２３】
　そして、製版部２から搬送される孔版原紙１８の先端を原紙クランプ部２７でクランプし、このクランプした状態で版胴２６が回転されて孔版原紙１８が版胴２６の外周面に巻き付け装着され、版胴２６の回転に同期して給紙部４より搬送されてくる印刷用紙３７をプレスロール３５で版胴２６の孔版原紙１８に押圧することにより印刷用紙３７に孔版原紙１８の穿孔からインク３４が転写されて画像が印刷される。
【００２４】
　　〔給紙部の構成〕
　給紙部４は、装置本体給紙部５と架台給紙部６により構成される。
【００２５】
　装置本体給紙部５は、多数の印刷用紙３７を載置する給紙トレイである装置本体トレイ４１、装置本体トレイ４１に積載された最上位置の印刷用紙３７を１枚ずつ搬送する１次給紙ロール４２、１次給紙ロール４２により搬送された印刷用紙３７を版胴２６の回転に同期して版胴２６とプレスロール３５との間に搬送する２次給紙ロール４３を有する。１次給紙ロール４２は装置本体トレイ駆動モータ１０１（図７に示す）により回転駆動される。また、装置本体トレイ４１には、印刷用紙３７が載置されているか否かを検出する装置本体トレイ用紙有無センサー１０２（図７に示す）、載置されている印刷用紙３７の用紙サイズを検出する装置本体トレイ用紙サイズセンサ１０３（図７に示す）がそれぞれ設けられている。
【００２６】
　架台給紙部６は、印刷部３に印刷用紙３７を給紙する架台上給紙部５１、同じく印刷用紙３７を給紙する架台下給紙部５２を備える。架台上給紙部５１は、多数の印刷用紙３７を載置する給紙トレイである架台上トレイ５３、架台上トレイ５３に積載された最上位置の印刷用紙３７を１枚ずつ搬送する１次給紙ロール５４、１次給紙ロール５４により搬送された印刷用紙３７を装置本体給紙部５の２次給紙ロール４３に搬送する二対の上搬送ロール５５を有する。１次給紙ロール５４及び上搬送ロール５５は架台上トレイ駆動モータ１０４（図７に示す）により回転駆動される。なお、上搬送ロール５５は架台上トレイ駆動モータ１０４により回転駆動されると共に、架台下トレイ駆動モータ１０５（図７に示す）によっても回転駆動される。
【００２７】
　架台下給紙部５２は、多数の印刷用紙３７を載置する給紙トレイである架台下トレイ５７、架台下トレイ５７に積載された最上位置の印刷用紙３７を１枚ずつ搬送する１次給紙ロール５８、１次給紙ロール５８により搬送された印刷用紙３７を架台上給紙部５１の上搬送ロール５５に搬送する二対の下搬送ロール５９を有する。１次給紙ロール５８及び下搬送ロール５９は架台下トレイ駆動モータ１０５により回転駆動される。
【００２８】
　また、架台上トレイ５３及び架台下トレイ５７には、印刷用紙３７が載置されているか否かを検出する架台上トレイ用紙有無センサ１０６及び架台下トレイ用紙有無センサ１０７（図７に示す）、載置されている印刷用紙３７の用紙サイズを検出する架台上トレイ用紙サイズセンサ１０８及び架台下トレイ用紙サイズセンサ１０９（図７に示す）がそれぞれ設けられている。
【００２９】
　　〔排紙部の構成〕
　排紙部１２０は、印刷処理された印刷用紙３７を版胴２６から分離する用紙分離爪６１、用紙分離爪６１により版胴２６から離間された印刷用紙３７が搬送される搬送通路６２、搬送通路６２から排紙される印刷用紙３７が載置される排紙台６３を有する。
【００３０】
　上記排紙台６３は、排紙される印刷用紙３７の落下位置に配置され、図２〜図５に示すように、排紙台６３上には排紙フェンスである一対のサイドフェンス６４，６５及びエンドフェンス６６が設けられている。一対のサイドフェンス６４，６５及びエンドフェンス６６は、それぞれ排紙される印刷用紙３７に干渉して載置位置を規制する直立位置と印刷用紙３７の載置位置を規制できない傾倒位置とに変位可能に設けられている。また、一対のサイドフェンス６４，６５は中心位置を基準として左右対称で左右方向に、エンドフェンス６６は前後方向にそれぞれ移動自在に設けられており、一対のサイドフェンス６４，６５は排紙される印刷用紙３７の左右端を規制し、エンドフェンス６６は排紙される印刷用紙３７の前端を規制する。
【００３１】
　そして、一対のサイドフェンス６４，６５及びエンドフェンス６６は、用紙サイズの検出結果に基づいて印刷用紙３７の用紙サイズに対応する位置に排紙フェンス移動手段６７によって移動される。排紙フェンス移動手段６７は、サイドフェンスモータ６８、サイドフェンスモータ６８の回転を減速伝達する複数のギア６９、ギア６９の出力により同期して移動する左右一対のタイミングベルト移動手段７０を有し、タイミングベルト移動手段７０の各タイミングベルト７０ａに各サイドフェンス６４，６５が固定されている。サイドフェンスモータ６８の駆動によってサイドフェンス６４，６５が同期して移動する。また、排紙フェンス移動手段６７は、エンドフェンスモータ７１、エンドフェンスモータ７１の回転を減速伝達する複数のギア７２、ギア７２の出力により移動するタイミングベルト移動手段７３を有し、タイミングベルト移動手段７３のタイミングベルト７３ａにエンドフェンス６６が固定されている。エンドフェンスモータ７１の駆動によってエンドフェンス６６が移動する。
【００３２】
　また、排紙台６３は、一対のサイドフェンス６４，６５のホームポジション位置を検出するサイドフェンスホームポジションセンサ１１０（図７に示す）、エンドフェンス６６のホームポジション位置を検出するエンドフェンスホームポジションセンサ１１１（図７に示す）を有する。サイドフェンスホームポジションセンサ１１０は、一対のサイドフェンス６４，６５の最大幅位置を、エンドフェンスホームポジションセンサ１１１は、エンドフェンス６６の最大前方位置をそれぞれホームポジション位置とされている。
【００３３】
　また、一対のサイドフェンス６４，６５の一方側には、排紙台６３上に印刷用紙３７が満杯まで積載されたことを検出する、非接触式若しくは接触式の満杯検知センサ７４が設けられている。また、排紙台６３は、一対のサイドフェンス６４，６５及びエンドフェンス６６の全てを傾倒位置とした状態で装置本体に収納可能に設けられている。また、サイドフェンス６４，６５の中間の排紙台６３には、反射型の用紙有無センサ７５が設けられている。
【００３４】
　なお、排紙台６３の構造は、上記の構造に限定されることはなく、例えば、積載容量に応じて用紙の積載される底面が昇降駆動される大容量型の排紙台や、排紙台を上下或いは前後に複数配置し、孔版印刷装置から排紙台に至る用紙搬送経路を切り換えて排紙台の選択を行う大容量の排紙台であってもよい。
【００３５】
　　〔排版部の構成〕
　排版部１３０は、版胴２６より使用済みの孔版原紙１８を引き剥がしながら搬送する一対の排版搬送ロール８１、排版搬送ロール８１を回転駆動する排版モータ８２、排版搬送ロール８１から搬送された孔版原紙１８を収納する排版ボックス８３、排版搬送ロール８１により孔版原紙１８が排版ボックス８３に搬送されたか否かを検出する排版センサ８４を有する。
【００３６】
　　〔操作パネルの構成〕
　孔版印刷装置本体の上面には、図６に示すような操作パネル９０が設けられており、この操作パネル９０には、製版や印刷等の処理モードを選択するモード選択キー９１、モード選択キー９１により選択したモードの設定内容を確認する設定確認キー９２、選択設定した処理モードによる製版・印刷動作を開始するスタートキー９３、開始した製版・印刷動作等を停止させるストップキー９４、印刷枚数等を入力するテンキー９５、試し刷りを行うための試し刷りキー９６等が設けられている。
【００３７】
　また、操作パネル９０には各種データを表示する液晶表示タッチパネル９７が設けられている。液晶表示タッチパネル９７の中にはトレイ指定メニューボタン（図示せず）があり、トレイ指定メニューボタンが押下されるとトレイ指定画面に切り替わり、装置本体トレイ４１、架台上トレイ５３、架台下トレイ５７のいずれかを選択することができる。
【００３８】
　さらに、図示しないが、液晶タッチパネルの中には、原稿読み取り部１が読み取った画像の拡大あるいは縮小処理を行うための、拡大・縮小モード設定ボタンが設けられている。
【００３９】
　　〔制御部の構成〕
　図７に示すように、孔版印刷装置内の制御装置（ＣＰＵ；Central Processing Unit）１００は、操作パネル９０からの入力データと、装置本体トレイ用紙有無センサ１０２，架台上トレイ用紙有無センサ１０６，架台下トレイ用紙有無センサ１０７、装置本体トレイ用紙サイズセンサ１０３，架台上トレイ用紙サイズセンサ１０８，架台下トレイ用紙サイズセンサ１０９からの出力信号と、排紙台６３の満杯検知センサ７４、サイドフェンスホームポジションセンサ１１０、エンドフェンスホームポジションセンサ１１１からの出力信号と、コントローラ１１２からの出力信号とに基づいて、原稿読み取り部１、製版部２、印刷部３、給紙部４、排紙部１２０、排版部１３０、装置本体トレイ駆動モータ１０１、架台上トレイ駆動モータ１０４、架台下トレイ駆動モータ１０５、サイドフェンスモータ６８、エンドフェンスモータ７１を統括制御すると共に、操作パネル９０への表示を制御する。また、制御装置１００は、各種プログラムが記憶されているＲＯＭ（Read Only Memory）１１３、ＲＡＭ（Random Access Memory）１１４、及び記憶手段１１５への書き込み／読み出しを制御し、装置本体トレイ４１、架台上トレイ５３、及び架台下トレイ５７のいずれかを選択して、選択したトレイから給紙する。記憶手段１１５は、印刷ジョブを記憶するジョブ記憶部として機能する。
【００４０】
　ここで、コントローラ１１２は、直接、若しくは、ネットワークを介して接続されたコンピュータ１１６と通信する通信部として機能し、コンピュータ１１６から送信された印刷データを孔版印刷装置にて印刷するように構成されている。なお、ネットワークとしては、ＬＡＮ（Local Area Network）やイントラネット等のクローズドネットワークや、インターネット等のオープンネットワークなどが含まれる。また、コントローラ１１２は、コンピュータ１１６から送信された印刷データを孔版印刷装置が印刷可能なデータ形式に変換する。なお、上記図７においては、コントローラ１１２は、孔版印刷装置と一体であるとして図示されているが、孔版印刷装置と別体として構成してもよい。
【００４１】
　　［孔版印刷装置の動作］
　　〔第１の実施の形態〕
　上記孔版印刷装置は、原稿読み取り部１を介して紙原稿の画像を読み込み、読み込んだ画像データを用いて孔版印刷処理を実行する際、出力する用紙サイズが小さい印刷ジョブから順に孔版印刷処理を実行する。つまり、スタンドアローンで動作する孔版印刷装置として構成される。なお、本明細書において、原稿読み取り部１を介して紙原稿から読み込んだ画像データを用いて孔版印刷処理を実行するモードを、「ＰｔｏＰ（Paper to Paper）モード」という。以下、図８に示すフローチャートを参照して、ＰｔｏＰモードによる孔版印刷処理を実行する際の孔版印刷装置の処理動作について説明する。
【００４２】
　図８に示すフローチャートにおいて、ユーザが操作パネル９０のモード選択キー９１を操作して孔版印刷装置の処理モードをＰｔｏＰモードに設定し、さらに入力された順序で印刷ジョブを実行する「通常印刷モード」から、出力する印刷用紙３７の用紙サイズが小さい印刷ジョブから順に実行する「用紙サイズ優先モード」に切り換えることを契機に、処理を開始する。
【００４３】
　ステップＳ１の処理において、制御装置１００は、装置本体トレイ用紙サイズセンサ１０３，架台上トレイ用紙サイズセンサ１０８，架台下トレイ用紙サイズセンサ１０９からの出力を参照して、装置本体トレイ４１，架台上トレイ５３，架台下トレイ５７にセットされている印刷用紙３７のサイズを検出する。
【００４４】
　なお、用紙サイズの検出は、印刷用紙３７の幅方向サイズを調整するサイドフェンス６４，６５のみが駆動される孔版印刷装置においては、印刷用紙３７の幅方向のサイズのみで判断する。従って、例えば給紙部４にセットされた印刷用紙３７がＡ４サイズ（横210 mm × 縦297 mm）の横置きである場合には、Ｂ４サイズ（横257 mm × 縦364 mm）の縦置きよりも大きいと判断する。ここで、縦置きとは矩形の用紙の長辺を用紙搬送方向と平行になるように載置する置き方をいい、横置きとは矩形の用紙の短辺を用紙搬送方向と平行になるように載置する置き方をいうものとする。
【００４５】
　一方、本実施形態で例示したように、サイドフェンス６４，６５と併せて、印刷用紙３７の先端が突き当たるエンドフェンス６６も用紙サイズに合わせて駆動される孔版印刷装置においては、印刷用紙３７の幅方向と縦方向の双方のサイズを基準とする。ここで、幅方向とは、印刷用紙３７の搬送方向に直角な方向を意味し、縦方向とは、印刷用紙３７の搬送方向を意味する。この場合、給紙台にセットされた印刷用紙３７がＡ４サイズの横置きである場合とＢ４サイズの縦置きの場合とでは、幅方向ではＡ４縦置きの方が大きく、縦方向ではＢ４縦置きの方が大きくなるので、幅方向と縦方向とでは大小関係が異なる。このように、２つの方向の大小関係が異なる場合には、サイドフェンス６４，６５とエンドフェンス６６の双方を、複数の用紙サイズに合わせて駆動することができない。従って、サイドフェンス６４，６５とエンドフェンス６６とが駆動される孔版印刷装置においては、印刷用紙３７の縦置きを「用紙サイズ優先モード」における用紙方向の基準とし、印刷用紙３７の横置きが検出された時にはエラーとして「用紙サイズ優先モード」の設定を禁止する。
【００４６】
　これにより、このステップＳ１の処理は完了し、ステップＳ２の処理に進む。
【００４７】
　ステップＳ２の処理において、制御装置１００は、原稿センサ１１，１２からの出力信号を参照して、原稿セット台１０上に原稿があるか否かを検出する。そして、判別の結果、原稿セット台１０上に原稿がない場合、この印刷処理は終了する。一方、判別の結果、原稿セット台１０上に原稿がある場合には、ステップＳ３の処理に進む。
【００４８】
　ステップＳ３の処理において、制御装置１００は、操作パネル９０上にユーザからの印刷枚数入力を促す表示を行い、受け付けた印刷枚数を液晶表示タッチパネル９７上に表示する。これにより、このステップＳ３の処理は完了し、ステップＳ４の処理に進む。
【００４９】
　ステップＳ４の処理において、制御装置１００は、例えばユーザがスタートキー９３を押下したか否かを監視することにより、印刷枚数の入力が完了したか否かを判別する。なお、この判別処理は、用紙サイズ優先モードの設定続行をスタートキーとした場合であり、操作パネル９０に「続行キー」を別に設けても良い。そして、判別の結果、印刷枚数の入力が完了していない場合、この印刷処理はステップＳ４の処理から再度ステップＳ３の処理に戻る。一方、判別の結果、印刷枚数の入力が完了した場合には、この印刷処理はステップＳ４の処理からステップＳ５の処理に進む。
【００５０】
　ステップＳ５の処理において、制御装置１００は、原稿読み取り部１を制御して、原稿セット台１０上にセットされている紙原稿の画像を読み取る。これにより、このステップＳ５の処理は完了し、ステップＳ６の処理に進む。
【００５１】
　ステップＳ６の処理において、制御装置１００は、読み取った画像データに基づいて、画像データのサイズに対応する大きさの印刷用紙３７が装置本体トレイ４１、架台上トレイ５３、架台下トレイ５７のいずれかの給紙トレイにあるか否かを判別する。そして、判別の結果、画像データのサイズに対応する大きさの印刷用紙３７がない場合には、この印刷処理はステップＳ６の処理からステップＳ７，Ｓ８の処理に進む。
【００５２】
　ステップＳ７の処理において、制御装置１００は、液晶表示タッチパネル９７上に画像データに対応する大きさの印刷用紙３７がない旨のメッセージを表示する。そして、ステップＳ８の処理において、制御装置１００は、装置本体トレイ用紙サイズセンサ１０３，架台上トレイ用紙サイズセンサ１０８，架台下トレイ用紙サイズセンサ１０９からの出力を参照して、画像データに対応する大きさの印刷用紙３７が装置本体トレイ４１、架台上トレイ５３、及び架台下トレイ５７のいずれかの給紙トレイにセットされたか判別する。そして、画像データのサイズに対応する大きさの印刷用紙３７が装置本体トレイ４１、架台上トレイ５３、及び架台下トレイ５７のいずれかの給紙トレイにセットされるまで、ステップＳ７〜Ｓ８の処理を繰り返し、対応する大きさの印刷用紙３７がセットされるに応じてステップＳ９の処理に進む。
【００５３】
一方、ステップＳ６の判別処理の結果、画像データのサイズに対応する大きさの印刷用紙３７がある場合には、ステップＳ６の処理からステップＳ９の処理に進む。
【００５４】
　ステップＳ９の処理において、制御装置１００は、原稿読み取り部１を制御して読み取った画像データと、操作パネル９０のテンキー９５からユーザが入力した印刷枚数等の画像形成処理情報を、実行する印刷ジョブとして記憶手段１１５内に記憶する（ジョブ記憶処理）。これにより、このステップＳ９の処理は完了し、ステップＳ１０の処理に進む。
【００５５】
　ステップＳ１０の処理において、制御装置１００は、原稿センサ１１，１２からの出力信号を参照して、原稿読み取り部１に次の原稿があるか否かを検出する。そして、判別の結果、原稿読み取り部１に次の原稿がある場合、再びステップＳ３の処理に戻り、原稿がなくなるまで、上記ステップＳ３〜ステップＳ１０の処理を繰り返す。
【００５６】
　一方、ステップＳ１０の判別の結果、原稿読み取り部１に次の原稿がない場合、ステップＳ１１の処理に進む。
【００５７】
　ステップＳ１１の処理において、制御装置１００は、印刷用紙３７の幅方向の用紙サイズが小さい印刷ジョブから昇順に印刷処理を実行するように、記憶手段１１５内に記憶した各印刷ジョブの印刷順番を決定する。なお、出力用紙サイズが同じ印刷ジョブが複数ある場合、制御装置１００は、例えば印刷ジョブの入力順番に従って、各印刷ジョブの印刷順番を決定すれば良い。これにより、ステップＳ１１の処理は完了し、ステップＳ１２の処理に進む。
【００５８】
　ステップＳ１２の処理において、制御装置１００は、実行する印刷ジョブの出力用紙サイズに合うように、排紙フェンス移動手段６７を介して一対のサイドフェンス６４，６５及びエンドフェンス６６を移動制御する。これにより、このステップＳ１２の処理は完了し、ステップＳ１３の処理に進む。
【００５９】
　ステップＳ１３の処理において、制御装置１００は、排版部１３０を制御して、版胴２６に巻き付いている孔版原紙１８を取り除き、排版ボックス８３に排出する（排版処理）。これにより、このステップＳ１３の処理は完了し、ステップＳ１４の処理に進む。
【００６０】
　ステップＳ１４の処理において、制御装置１００は、製版部２を制御して、当該印刷ジョブに係る画像データを形成するように未製版の孔版原紙１８を溶融穿孔する（製版処理）。これにより、このステップＳ１４の処理は完了し、ステップＳ１５の処理に進む。
【００６１】
　ステップＳ１５の処理において、制御装置１００は、製版部２及び印刷部３を制御して、製版処理された孔版原紙１８を版胴２６に巻き付け装着する（着版処理）。これにより、このステップＳ１５の処理は完了し、ステップＳ１６の処理に進む。
【００６２】
　ステップＳ１６の処理において、制御装置１００は、印刷部３を制御して、版胴２６を回転し、回転に同期して給紙部４から印刷用紙３７を給紙し、給紙した印刷用紙３７をプレスロール３５で版胴２６の孔版原紙１８に押圧することにより、印刷用紙３７にインク３４を転写して印刷画像を形成し、印刷された印刷用紙３７を排紙部１２０に排紙する（印刷処理）。そして、制御装置１００は、指定された印刷枚数分についてこの印刷処理を実行する。これにより、このステップＳ１６の処理は完了し、ステップＳ１７の処理に進む。
【００６３】
　ステップＳ１７の処理において、制御装置１００は、記憶手段１１５内に記憶されている全ての印刷ジョブを実行したか否かを判別する。そして、判別の結果、全ての印刷ジョブの実行が完了していない場合には、再度ステップＳ１２の処理に戻り、全てのジョブが終了するまで、上記ステップＳ１２〜ステップＳ１７の処理を繰り返す。
【００６４】
一方、ステップＳ１７における判別の結果、全ての印刷ジョブの実行が完了した場合には、制御装置１００は、孔版印刷装置の処理モードを「用紙サイズ優先モード」から「通常モード」に切り替え、一連の印刷処理は終了する。
【００６５】
　以上、説明したように、本実施形態による画像形成装置は、以下の構成要素を含んでいる。
【００６６】
　（ａ）載置された印刷用紙３７の用紙サイズを検出する用紙サイズ検出手段（装置本体トレイ用紙サイズセンサ１０３，架台上トレイ用紙サイズセンサ１０８，架台下トレイ用紙サイズセンサ１０９）を有する複数の給紙部４（装置本体トレイ４１，架台上トレイ５３，架台下トレイ５７）、
　（ｂ）複数の用紙サイズの原稿画像を読み取る原稿読み取り部１、
　（ｃ）少なくとも画像形成枚数に関する情報を含む画像形成処理情報を入力する入力部（操作パネル９０のテンキー９５）、
　（ｄ）前記給紙部４から給紙された印刷用紙３７に前記原稿画像に係る画像を形成する画像形成部（印刷部３）、
　（ｅ）前記画像形成部３により画像が形成されて排出された前記印刷用紙３７が積載される排紙部１２０、
　（ｆ）前記排紙部１２０に設けられ、給紙部４から給紙される前記印刷用紙３７の用紙サイズに応じて、前記排紙部１２０積載される前記印刷用紙３７の幅方向の位置を変位させるオートフェンス（サイドフェンス６４，６５）、
　（ｇ）前記画像形成処理を一頁分の画像単位に印刷ジョブとして記憶するジョブ記憶部（記憶手段１１５）、
　（ｈ）前記ジョブ記憶部１１５に記憶されている印刷ジョブについて、前記画像を形成する前記印刷用紙３７の幅方向の用紙サイズの小さい印刷ジョブから昇順に、前記画像形成処理を実行するように制御する制御部（制御装置１００）。
【００６７】
　このような構成により、記憶手段１１５に記憶されている複数の印刷ジョブについて、印刷用紙３７の用紙サイズが小さい印刷ジョブから孔版印刷処理を実行するように制御することで、用紙サイズが大きい印刷ジョブに移行するにつれて、サイドフェンス６４，６５の位置は広がる方向に移動する。従って、排紙部１２０に積載されている印刷用紙３７を取り除かなくても、複数の用紙サイズの画像形成処理を連続的に行うことができる。
【００６８】
　さらに、前記オートフェンスは、サイドフェンス６４，６５に加えて、印刷用紙３７の前端が突き当たるエンドフェンス６６を含む構成とし、当該エンドフェンス６６が印刷用紙３７の用紙サイズに応じて印刷用紙３７の搬送方向の位置を変位させる構成とすることもできる。
【００６９】
　　〔第２の実施の形態〕
　第２の実施の形態では、コンピュータ１１６から直接、若しくは、ネットワークを介して送信された画像データを用いて孔版印刷処理を実行する際、出力する用紙サイズが小さい印刷ジョブから順に孔版印刷処理を実行する孔版印刷装置について説明する。なお、本明細書において、コンピュータ１１６から送信された画像データを用いて孔版印刷処理を実行するモードを、「ＤｔｏＰ（Data to Paper）モード」という。以下、図９に示すフローチャートを参照して、ＤｔｏＰモードによる孔版印刷処理を実行する際の孔版印刷装置の処理動作について説明する。
【００７０】
　図９に示すフローチャートにおいて、孔版印刷装置が、コントローラ１１２を介して、直接、若しくはネットワーク経由で、コンピュータ１１６と接続することで処理開始となり、ステップＳ２１の処理に進む。なお、以下の処理において、孔版印刷装置は、印刷ジョブを受信するまで待機状態となっているものとする。
【００７１】
　ステップＳ２１の処理において、コンピュータ１１６は、「用紙サイズ優先モード」の予告設定コマンドを孔版印刷装置に送信する。これにより、このステップＳ２１の処理は完了し、ステップＳ２２の処理に進む。
【００７２】
　ステップＳ２２の処理において、孔版印刷装置の制御装置１００は、予告設定コマンドを受信するに応じて、孔版印刷装置の処理モードを「待機状態」から「用紙サイズ優先モード」に切り換える。そして、制御装置１００は、装置本体トレイ用紙サイズセンサ１０３，架台上トレイ用紙サイズセンサ１０８，架台下トレイ用紙サイズセンサ１０９からの出力を参照して、装置本体トレイ４１，架台上トレイ５３，架台下トレイ５７にセットされている印刷用紙３７のサイズを検出する。これにより、このステップＳ２２の処理は完了し、ステップＳ２３の処理に進む。
【００７３】
　ステップＳ２３の処理において、孔版印刷装置の制御装置１００は、用紙有無センサ７５の出力により排紙台６３上の印刷用紙３７の有無を検出するとともに、排紙台６３に印刷用紙３７がある時には、その時のサイドフェンス６４，６５及びエンドフェンス６６の位置を算出することにより排紙台６３上の印刷用紙３７の用紙サイズを検出する。これにより、このステップＳ２３の処理は完了し、ステップＳ２４の処理に進む。
【００７４】
　ステップＳ２４の処理において、孔版印刷装置の制御装置１００は、排紙台６３に積載されている印刷用紙３７の用紙サイズに関する情報（積載されている印刷用紙３７がない場合を含む）と、装置本体トレイ４１，架台上トレイ５３，架台下トレイ５７にセットされている印刷用紙３７の用紙サイズに関する情報をコンピュータ１１６に送信する。これにより、このステップＳ２４の処理は完了し、ステップＳ２５の処理に進む。
【００７５】
　ステップＳ２５の処理において、コンピュータ１１６は、制御装置１００から受信した情報に基づいて、選択可能な用紙サイズをコンピュータ１１６の表示装置に表示する。これにより、このステップＳ２５の処理は完了し、ステップＳ２６の処理に進む。
【００７６】
　ステップＳ２６の処理において、コンピュータ１１６は、ユーザが選択可能な用紙サイズを参照して原稿データ（用紙サイズ情報を含む）及び印刷枚数等の画像形成処理情報を印刷ジョブとして入力するに応じて、入力された少なくとも一つ以上の印刷ジョブをコンピュータ１１６内の記憶装置に記憶する。これにより、このステップＳ２６の処理は完了し、ステップＳ２７の処理に進む。
【００７７】
　ステップＳ２７の処理において、コンピュータ１１６は、記憶装置内に記憶した少なくとも一つ以上の印刷ジョブを孔版印刷装置に送信し、さらに「用紙サイズ優先モード」の終了コマンドを孔版印刷装置に送信する。これにより、このステップＳ２７の処理は完了し、ステップＳ２８の処理に進む。
【００７８】
　ステップＳ２８の処理において、孔版印刷装置の制御装置１００は、コンピュータ１１６から送信された少なくとも一つ以上の印刷ジョブを記憶手段１１５に記憶する。これにより、このステップＳ２８の処理は完了し、ステップＳ２９の処理に進む。
【００７９】
　ステップＳ２９の処理において、孔版印刷装置の制御装置１００は、印刷用紙３７の幅方向の用紙サイズが小さい印刷ジョブから昇順に印刷処理を実行するように、記憶手段１１５内に記憶した各印刷ジョブの印刷順番を決定する。これにより、このステップＳ２９の処理は完了し、以後、ステップＳ３０〜ステップＳ３５の処理を実行することにより、第１の実施の形態におけるステップＳ１２〜ステップＳ１７の処理と同様、出力用紙サイズが小さい印刷ジョブから昇順に全ての印刷ジョブについて印刷処理を実行する。そして、全ての印刷ジョブについて印刷処理が完了すると、制御装置１００は、孔版印刷装置の処理モードを「用紙サイズ優先モード」から「待機状態」に切り替え、一連の印刷処理は終了する。
【００８０】
　このように、孔版印刷装置の制御装置１００は、コンピュータ１１６から「用紙サイズ優先モード」の予告コマンドを受信してから「用紙サイズ優先モード」の終了コマンドを受信するまでの間に、コンピュータ１１６から送信された印刷ジョブを記憶手段１１５に記憶する。そして、「用紙サイズ優先モード」の終了コマンドを受信した後、記憶手段１１５に記憶しておいた印刷ジョブについて、印刷用紙３７の幅方向の用紙サイズが小さい印刷ジョブから昇順に印刷処理を実行する。従って、用紙サイズの大きい印刷ジョブに移行するにつれて、サイドフェンス６４，６５及びエンドフェンス６６の位置は広がる方向に移動するため、排紙部１２０に積載されている印刷用紙３７を取り除かなくても、複数の用紙サイズの画像形成処理を連続的に行うことができる。
【００８１】
　ここで、上記ステップＳ２９の処理において、実行不可能な印刷ジョブ（例えば、現在の排紙台６３に積載されている印刷用紙３７の幅方向の用紙サイズより小さい幅方向の用紙サイズの印刷用紙３７を使用する印刷ジョブや、使用するサイズの印刷用紙３７がいずれの給紙台にもない印刷ジョブ）があった場合には、制御装置１００は、液晶表示タッチパネル９７若しくはコンピュータ１１６の表示装置にその印刷ジョブに関する情報を表示した後、その印刷ジョブを削除し、残りの印刷ジョブについて印刷順番を決定する。なお、実行不可能な印刷ジョブがあった場合、制御装置１００は、液晶表示タッチパネル９７若しくはコンピュータ１１６の表示装置にエラー情報を表示し、印刷処理動作を停止してもよい。また、排紙台６３に積載されている印刷用紙３７の幅方向の用紙サイズよりも小さい幅方向の用紙サイズの印刷用紙３７を使用する印刷ジョブがあったときに、その印刷ジョブを除外して残りの印刷ジョブを実行するか、又は、エラー情報を表示して印刷処理動作を停止するかは、ユーザが選択、設定できるようにしてもよい。
【００８２】
　以上、説明したように、本実施形態による画像形成装置は、第１の実施形態における構成要素に加えて、情報処理装置（コンピュータ１１６）と接続し、コンピュータ１１６から原稿画像と少なくとも画像形成枚数に関する情報を含む画像形成処理情報とを受信する通信部（コントローラ１１２）を含んでいる。
【００８３】
　このような構成により、遠隔地にあるコンピュータ１１６から孔版印刷装置に複数の用紙サイズの原稿画像を送り、複数の画像形成処理を連続的に行うことができる。
【００８４】
　なお、上記図８又は図９に示す印刷処理実行中に、満杯検知センサ７４の出力がオン状態となり、排紙台６３上に印刷用紙３７が満杯まで積載されたことが検出された場合には、制御装置１００は、印刷処理を中断し、液晶表示タッチパネル９７若しくはコンピュータ１１６の表示装置に排紙台６３が一杯になった旨のメッセージを表示する。そして、満杯検知センサ７４の出力がオフ状態になり、且つ、印刷続行操作が行われると、制御装置１００は、中断した印刷処理を再開する。
【００８５】
　上述の図８又は図９に示す印刷処理においては、各画像単位のジョブとして、画像データの他に画像形成枚数に関する情報のみを入力するようにしているが、画像形成枚数のみではなく、画像を形成する用紙サイズ、拡大縮小率、ネガポジ反転等の他の画像形成に関する情報も併せて入力するようにしても良い。
【００８６】
　拡大縮小率を入力した場合には、制御装置１００は、原稿サイズと拡大縮小率とに基づいて、印刷処理に使用する印刷用紙３７のサイズを判別することができる。また、用紙サイズを入力した場合には、制御装置１００は、原稿サイズと使用する用紙サイズとに基づいて拡大縮小率を決定し、決定した拡大縮小率に従って印刷処理を制御するようにしても良い。
【００８７】
　上述の各実施の形態においては、画像形成部として孔版印刷方式を用いる場合を示したが、画像形成部としては、電子写真方式やインクジェット方式等、種々の画像形成方式を用いることが可能である。
【００８８】
　このように、本発明は、その精神または主要な特徴から逸脱することなく、他の色々な形で実施することができる。そのため、前述の実施例はあらゆる点で単なる例示に過ぎず、限定的に解釈してはならない。本発明の範囲は、特許請求の範囲によって示すものであって、明細書本文には何ら拘束されない。さらに、特許請求の範囲の均等範囲に属する変形や変更は、全て本発明の範囲内のものである。
【図面の簡単な説明】
【００８９】
【図１】本発明の一実施形態による孔版印刷装置の概略構成を示す構成図である。
【図２】図１に示した孔版印刷装置における排紙部の側面図である。
【図３】図１に示した孔版印刷装置における排紙部の正面図である。
【図４】図１に示した孔版印刷装置における排紙部の底面図である。
【図５】図１に示した孔版印刷装置における排紙部の底面側から見た一部斜視図である。
【図６】図１に示した孔版印刷装置における操作パネルのレイアウト例を示す模式図である。
【図７】図１に示した孔版印刷装置における制御系の構成を説明するためのブロック図である。
【図８】図１に示した孔版印刷装置において、第１の実施形態による処理動作例を示すフローチャートである。
【図９】図１に示した孔版印刷装置において、第２の実施形態による処理動作例を示すフローチャートである。
【符号の説明】
【００９０】
　　　１…原稿読み取り部
　　１０…原稿セット台
　１００…制御装置
　１０１…装置本体トレイ駆動モータ
　１０２…装置本体トレイ用紙有無センサ
　１０３…装置本体トレイ用紙サイズセンサ
　１０４…架台上トレイ駆動モータ
　１０５…架台下トレイ駆動モータ
　１０６…架台上トレイ用紙有無センサ
　１０７…架台下トレイ用紙有無センサ
　１０８…架台上トレイ用紙サイズセンサ
　１０９…架台下トレイ用紙サイズセンサ
　　１１，１２…原稿センサ
　１１０…サイドフェンスホームポジションセンサ
　１１１…エンドフェンスホームポジションセンサ
　１１２…コントローラ
　１１３…ＲＯＭ
　１１４…ＲＡＭ
　１１５…記憶手段
　１１６…コンピュータ
　　１３，１４…原稿搬送ロール
　　１６…イメージセンサ
　　１７…原稿排出トレイ
　　１８…孔版原紙
　　１９…孔版原紙収納部
　　　２…製版部
　　２０…サーマルヘッド
　　２１…プラテンロール
　　２２…孔版原紙送りロール
　　２３…ライトパルスモータ
　　２４…原紙カッタ
　　２５…メインモータ
　　２６…版胴
　　２７…原紙クランプ部
　　２８…原紙確認センサ
　　２８ａ…検出片
　　２９…検出片
　　　３…印刷部（画像形成部）
　　３０…基準位置検出センサ
　　３１…ロータリエンコーダ
　　３２…スキージロール
　　３３…ドクターロール
　　３４…インク
　　３５…プレスロール
　　３６…ソレノイド装置
　　３７…印刷用紙
　　　４…給紙部
　　４１…装置本体トレイ
　　４２…１次給紙ロール
　　４３…２次給紙ロール
　　　５…装置本体給紙部
　　５１…架台上給紙部
　　５２…架台下給紙部
　　５３…架台上トレイ
　　５４…１次給紙ロール
　　５５…上搬送ロール
　　５７…架台下トレイ
　　５８…１次給紙ロール
　　５９…下搬送ロール
　　　６…架台給紙部
　　６１…用紙分離爪
　　６２…搬送通路
　　６３…排紙台
　　６４，６５…サイドフェンス
　　６６…エンドフェンス
　　６７…排紙フェンス移動手段
　　６８…サイドフェンスモータ
　　６９…ギア
　　７０…タイミングベルト移動手段
　　７０ａ…タイミングベルト
　　７１…エンドフェンスモータ
　　７２…ギア
　　７３…タイミングベルト移動手段
　　７３ａ…タイミングベルト
　　７４…満杯検知センサ
　　７５…用紙有無センサ
　　８１…排版搬送ロール
　　８２…排版モータ
　　８３…排版ボックス
　　８４…排版センサ
　　　９…架台給紙部
　　９０…操作パネル
　　９１…モード選択キー
　　９２…設定確認キー
　　９３…スタートキー
　　９４…ストップキー
　　９５…テンキー
　　９６…試し刷りキー
　　９７…液晶表示タッチパネル
　１２０…排紙部
　１３０…排版部
【図１】
2004075390.tif 000003
【図２】
2004075390.tif 000004
【図３】
2004075390.tif 000005
【図４】
2004075390.tif 000006
【図５】
2004075390.tif 000007
【図６】
2004075390.tif 000008
【図７】
2004075390.tif 000009
【図８】
2004075390.tif 000010
【図９】
2004075390.tif 000011